(57)【要約】 【課題】食材を包装する包装材として、利点を有するプラスチック製容器と、折り畳みが可能で、組み立ても簡単な紙製枠材とを組み合わせることにより、高級感を与えるプラスチック製容器と紙製枠材との係止構造を開発・提供することにある。【解決手段】包装材において、プラスチック製容器（Ｙ）には、容器本体（１）の口縁部を、紙製枠材（Ｘ）の厚み寸法の２倍の溝幅（ａ）を有する折り返し部（２）を形成すると共に、該折り返し部（２）の先端部（ｂ）と対向する容器本体の側面部（３）に、突起（４）を形成し、紙製枠材（Ｘ）の上部には、折り返し部（２）の内側上端部（ｃ）と突起（４）までの寸法（ｄ）を有する折り曲げ片（５）を、紙製枠材（Ｘ）の内側に折り曲げて形成し、該折り曲げ片（５）と紙製枠材（Ｘ）とを、前記プラスチック製容器（Ｙ）の折り返し部（２）に嵌着することを特徴とするプラスチック製容器と紙製枠材との係止構造。【選択図】      図４
0003153896.tif 000002
【実用新案登録請求の範囲】
【請求項１】
包装材において、プラスチック製容器（Ｙ）には、容器本体（１）の口縁部を、紙製枠材（Ｘ）の厚み寸法の２倍の溝幅（ａ）を有する折り返し部（２）を形成すると共に、該折り返し部（２）の先端部（ｂ）と対向する容器本体の側面部（３）に、突起（４）を形成し、紙製枠材（Ｘ）の上部には、折り返し部（２）の内側上端部（ｃ）と突起（４）までの寸法（ｄ）を有する折り曲げ片（５）を、紙製枠材（Ｘ）の内側に折り曲げて形成し、該折り曲げ片（５）と紙製枠材（Ｘ）とを、前記プラスチック製容器（Ｙ）の折り返し部（２）に嵌着することを特徴とするプラスチック製容器と紙製枠材との係止構造。
【請求項２】
紙製枠材（Ｘ）の、相対向する折り曲げ片（５）（５）の一端部（Ａ）と他端部（Ｂ）とが、紙製枠材（Ｘ）の角部より、それぞれ長さ方向において短い折り曲げ部とすることを特徴とする請求項１記載のプラスチック製容器と紙製枠材との係止構造。
【考案の詳細な説明】
【技術分野】
【０００１】
この考案は、プラスチック製容器と紙製枠材との係止構造に関する。
【背景技術】
【０００２】
従来、包装材、特に食品の包装材としては、プラスチック製成型容器（以下、プラスチック製容器という）が多く、弁当などではプラスチック製であれば液状の食材も盛りつけることができ、紙製容器と異なり、内部液が外部に滲みたり、漏れることがなく、便利であり、大抵がプラスチック製容器を使用している。
【０００３】
しかし、食品を包装する場合、例えば、弁当にしても、菓子にしても、上記の効果は達成出来るものの、包装材としてプラスチック製容器が露出することは、外部から見た場合、高級感に乏しく、特に、贈答用の食品の包装には、見栄えも極めて大切であり、プラスチック製容器のみでは、購買意欲につながらない場合もある。
【０００４】
食品を入れる包装材として、プラスチック製容器で、重箱のように複数段重合する構造のものは開示されている。例えば、特許文献１のように。
【先行技術文献】
【特許文献】
【０００５】
【特許文献１】特開平１０−２４５０５４号公報
【０００６】
しかし、このようにプラスチック製容器だけでは、被包装材の高級感を醸しだすことは困難であり、内部の食材を引き立てる意味からも包装材の役割は極めて重大である。
【考案の概要】
【考案が解決しようとする課題】
【０００７】
そこでこの考案は、食材を包装する包装材として、利点を有するプラスチック製容器と、折り畳みが可能で、組み立ても簡単な紙製枠材とを組み合わせることにより、高級感を与えるプラスチック製容器と紙製枠材との係止構造を開発・提供することにある。
【課題を解決するための手段】
【０００８】
この考案は、プラスチック製容器と紙製容器との包装材において、内部にプラスチック製容器側と、外部に、紙製折り箱に代えて、紙製枠材を使用し、該紙製枠材側とに、それぞれ新たな構造を加えることにより、組み立てを簡単にし、使用時における係合をより堅牢にし、使用後には、簡単に廃棄することのできるプラスチック製容器と紙製枠材との包装材の係止構造である。
【考案の効果】
【０００９】
この考案によると、
１）  この考案には、紙製枠材を使用することにより、折り箱に比べて、保管・配送の際には場所を占めず、省スペースであり、配送コストの削減が図れる。
２）  内部容器にプラスチック製容器を使用するため、調理された液状の食材も外部に漏れだすこともなく、盛りつけが可能であり、紙製枠材との係合が堅牢となり、底抜けがない。
３）  また、紙製枠材とすることにより、自由な印刷が可能であり、多彩な用途にグレードアップできる。
４）  そのまま、電子レンジ調理をしても可能であり、直接の熱伝導は遮断できるため、取り出し時の事故も防止できる。
５）  さらに、紙製枠材がけであるため、ごみの減容対策にもなる。
等の極めて有益なる効果を奏するものである。
【図面の簡単な説明】
【００１０】
【図１】この考案の一実施例を示す側面図である。
【図２】この考案の一実施例を示す平面図である。
【図３】この考案の一実施例を示し、（ａ）は底面図であり、（ｂ）は、図３（ａ）中のＺの部分拡大図である。
【図４】この考案の一実施例を示す一部欠截拡大断面図である。
【図５】この考案に使用する紙製枠材であり、（ａ）は、展開図、（ｂ）は、図５（ａ）中のＩ−Ｉ断面図である。
【図６】この考案に使用する紙製枠材の一実施例を示す平面図であり、図中の二点鎖線で示した部分は閉じた状態を示す。
【考案を実施するための形態】
【００１１】
考案の形態は、プラスチック製容器と紙製枠材との係止構造において、プラスチック製容器の口縁部をプラスチック製容器の側面と平行に下方に延長する折り返し部を形成し、他方、紙製枠材の上端部には、前記紙製枠材の折り返し片を設け、紙製枠材と折り返し片とを前記プラスチック製容器の口縁部に形成した折り返し部を嵌着することによりプラスチック製容器の側面に紙製枠材を装着するものである。
【実施例】
【００１２】
次に、この考案の一実施例を図面に従って詳述すると、  包装材において、プラスチック製容器（Ｙ）には、容器本体（１）の口縁部を、紙製枠材（Ｘ）の厚み寸法の２倍の溝幅（ａ）を有する折り返し部（２）を形成すると共に、該折り返し部（２）の先端部（ｂ）と対向する容器本体の側面部（３）に、突起（４）を形成し、紙製枠材（Ｘ）の上部には、折り返し部（２）の内側上端部（ｃ）と突起（４）までの寸法（ｄ）を有する折り曲げ片（５）を、紙製枠材（Ｘ）の内側に折り曲げて形成し、該折り曲げ片（５）と紙製枠材（Ｘ）とを、前記プラスチック製容器（Ｙ）の折り返し部（２）に嵌着することを特徴とするプラスチック製容器と紙製枠材との係止構造から構成される。
【００１３】
また、紙製枠材（Ｘ）は、通常、正方形、長方形等の形状であったり、または、円形状、楕円状の形状の枠であってもよい。これに伴い、紙製枠材（Ｘ）の折り曲げ片（５）は、円形状、楕円状の場合には、後述のものとはその構成が多少、異なり、複数の切り欠き部を設ける必要がある。
【００１４】
さらに、紙製枠材（Ｘ）の折り曲げ片（５）は、紙製枠材（Ｘ）に罫線を引くことにより折り曲げられ、相対向する折り曲げ片（５）（５）の一端部（Ａ）と他端部（Ｂ）とが、紙製枠材（Ｘ）の角部より、それぞれ短い折り曲げ部とすることにより、図６の矢印方向に折り畳むことにより、紙製枠材（Ｘ）を２つ折りに平坦に折り畳めるものである。
【００１５】
このプラスチック製容器（Ｙ）と紙製枠材（Ｘ）との係止構造からなる包装材に他の包装部材を加えることにより、さらに、異なった包装材とすることが可能である。
【００１６】
尚、紙製容器（Ｘ）の素材は、３１０ｇ〜１２００ｇの板紙、あるいは、該板にＧ、Ｅ、Ｆのダンボールを合体して使用したものでもよく、板材、ダンボールを使用することにより、内部に入れる和洋中華・スイーツ食材にあった飾りつけや印刷が可能となる。
【産業上の利用可能性】
【００１７】
この考案のプラスチック製容器と紙製枠材との係止構造の技術を実施することにより、包装容器ならびに包装容器に入れられた食材の販売の活性化を通じて産業上の利用可能性がある。
【符号の説明】
【００１８】
１  容器本体
２  折り返し部
３  容器本体の側面部
４  突起
５  折り曲げ片
Ａ  一端部
Ｂ  他端部
ａ  厚み
ｂ  先端部
ｃ  折り返し部の内側上端部
ｄ  折り返し部の内側上端部と、突起までの寸法
Ｘ  紙製枠材
Ｙ  プラスチック製容器
【図１】
0003153896.tif 000003
【図２】
0003153896.tif 000004
【図３】
0003153896.tif 000005
【図４】
0003153896.tif 000006
【図５】
0003153896.tif 000007
【図６】
0003153896.tif 000008